(57)【要約】【課題】レンズバリアによる電源オフの状態においてハウジングが装着されるのを防止できる撮像装置の技術を提供する。【解決手段】カメラ２Ａは、撮影レンズを覆う閉位置とレンズを露出する開位置との移動が可能なレンズバリア２５を有しており、このレンズバリア２５の開閉に連動して電源のオン・オフが切替えられる。カメラ２Ａを収納するハウジング５Ａは、レンズバリア２５を駆動するバリア駆動レバー６１Ａを備えている。そして、ハウジング５Ａを装着する際には、カメラ２Ａの指掛かり部２５ａにバリア駆動レバー６１Ａの先端６１ｓを引っかけてレンズバリア２５を開位置に移動させる。その結果、レンズバリアによる電源オフの状態においてハウジングが装着されるのを防止できる。【選択図】図１１
2006010771.tif 000002
【特許請求の範囲】
【請求項１】
所定のハウジングを装着可能な撮像装置であって、
(a)撮影レンズと、
(b)前記撮影レンズを覆う閉位置と前記撮影レンズが露出する開位置とを移動可能なレンズ保護部材と、
(c)前記レンズ保護部材に関する開方向の移動と閉方向の移動とに連動し、電源オンと電源オフとを切替える電源切替手段と、
を備え、
前記所定のハウジングに設けられた所定の部材により、前記所定のハウジングの装着作業に伴って、前記レンズ保護部材を前記開方向に移動させることを特徴とする撮像装置。
【請求項２】
請求項１に記載の撮像装置において、
前記所定の部材により、前記レンズ保護部材が前記開位置まで移動されることを特徴とする撮像装置。
【請求項３】
請求項１に記載の撮像装置において、
前記レンズ保護部材は、前記開位置より更に開方向にある第３位置まで移動可能であり、
前記所定の部材により、前記レンズ保護部材が前記第３位置まで移動されることを特徴とする撮像装置。
【請求項４】
所定のハウジングを装着可能な撮像装置であって、
(a)撮影レンズと、
(b)前記撮影レンズを覆う閉位置と、前記撮影レンズが露出する開位置と、前記開位置より更に開方向にある第３位置とを移動可能なレンズ保護部材と、
(c)前記レンズ保護部材に関する開方向の移動と閉方向の移動とに連動し、電源オンと電源オフとを切替える電源切替手段と、
を備え、
前記レンズ保護部材が前記第３位置にない場合には、前記所定のハウジングに設けられた特定の部材により、前記所定のハウジングの装着完了を阻止することを特徴とする撮像装置。
【請求項５】
請求項１ないし請求項４のいずれかに記載の撮像装置において、
(d)前記所定のハウジングが装着された場合には、前記レンズ保護部材と異なる別の部材に対する操作により前記電源オンと前記電源オフとを切替える装着時切替手段、
を備えることを特徴とする撮像装置。
【請求項６】
所定のハウジングを装着可能な撮像装置であって、
(a)撮影レンズと、
(b)前記撮影レンズを覆う閉位置と前記撮影レンズが露出する開位置とを移動可能なレンズ保護部材と、
(c)前記レンズ保護部材に関する開方向の移動と閉方向の移動とに連動し、電源オンと電源オフとを切替える電源切替手段と、
(d)前記所定のハウジングが装着された場合には、前記レンズ保護部材と異なる別の部材に対する操作により前記電源オンと前記電源オフとを切替える装着時切替手段と、
を備え、
前記レンズ保護部材が前記開位置にない場合には、前記所定のハウジングに設けられた特定の部材により、前記所定のハウジングの装着完了を阻止することを特徴とする撮像装置。
【請求項７】
請求項６に記載の撮像装置において、
前記別の部材は、複数の部材からなっており、
前記所定のハウジングは、前記所定のハウジングに設けられた所定の操作部材に対する操作に連動し、前記複数の部材を同時に操作する機構を有することを特徴とする撮像装置。
【請求項８】
請求項１ないし請求項７のいずれかに記載の撮像装置において、
(e)前記所定のハウジングに係る装着状態と非装着状態とを検出する検出手段と、
(f)前記装着状態と前記非装着状態とで、特定の制御項目に関する制御方法を切替える手段と、
をさらに備えることを特徴とする撮像装置。
【請求項９】
請求項８に記載の撮像装置において、
前記特定の制御項目は、水中撮影に関連した制御項目であって、露出制御、ホワイトバランス制御、フラッシュ制御、オートフォーカス制御、録音特性制御および再生音特性制御からなる群から選択される少なくとも１の制御項目を含むことを特徴とする撮像装置。
【請求項１０】
撮像装置と、前記撮像装置に装着されるハウジングとを有する撮像システムであって、
前記撮像装置は、
(a-1)撮影レンズと、
(a-2)前記撮影レンズを覆う閉位置と前記撮影レンズが露出する開位置とを移動可能なレンズ保護部材と、
(a-3)前記レンズ保護部材に関する開方向の移動と閉方向の移動とに連動し、電源オンと電源オフとを切替える電源切替手段と、
を備え、
前記ハウジングは、
(b-1)前記ハウジングの装着作業に伴って、前記レンズ保護部材を前記開方向に移動させる駆動部材、
を備えることを特徴とする撮像システム。
【請求項１１】
撮像装置と、前記撮像装置に装着されるハウジングとを有する撮像システムであって、
前記撮像装置は、
(a-1)撮影レンズと、
(a-2)前記撮影レンズを覆う閉位置と、前記撮影レンズが露出する開位置と、前記開位置より更に開方向にある第３位置とを移動可能なレンズ保護部材と、
(a-3)前記レンズ保護部材に関する開方向の移動と閉方向の移動とに連動し、電源オンと電源オフとを切替える電源切替手段と、
を備え、
前記ハウジングは、
(b-1)前記レンズ保護部材が前記第３位置にない場合には、前記ハウジングの装着完了を阻止する阻止部材、
を備えることを特徴とする撮像システム。
【請求項１２】
撮像装置と、前記撮像装置に装着されるハウジングとを有する撮像システムであって、
前記撮像装置は、
(a-1)撮影レンズと、
(a-2)前記撮影レンズを覆う閉位置と前記撮影レンズが露出する開位置とを移動可能なレンズ保護部材と、
(a-3)前記レンズ保護部材に関する開方向の移動と閉方向の移動とに連動し、電源オンと電源オフとを切替える電源切替手段と、
(a-4)前記ハウジングが装着された場合には、前記レンズ保護部材と異なる別の部材に対する操作により前記電源オンと前記電源オフとを切替える装着時切替手段と、
を備え、
前記ハウジングは、
(b-1)前記レンズ保護部材が前記開位置にない場合には、前記ハウジングの装着完了を阻止する阻止部材、
を備えることを特徴とする撮像システム。
【請求項１３】
撮影レンズを覆う閉位置と前記撮影レンズが露出する開位置とを移動可能なレンズ保護部材と、前記レンズ保護部材に関する開方向の移動と閉方向の移動とに連動し電源オンと電源オフとを切替える電源切替手段とを有する撮像装置に装着されるハウジングであって、
前記ハウジングの装着作業に連動して、前記レンズ保護部材を開方向に移動させる駆動部材、
を備えることを特徴とするハウジング。
【請求項１４】
撮影レンズを覆う閉位置と前記撮影レンズが露出する開位置とを移動可能なレンズ保護部材と、前記レンズ保護部材に関する開方向の移動と閉方向の移動とに連動し電源オンと電源オフとを切替える電源切替手段とを有する撮像装置に装着されるハウジングであって、
前記レンズ保護部材が前記開位置より更に開方向にある第３位置にない場合には、前記ハウジングの装着完了を阻止する阻止部材、
を備えることを特徴とするハウジング。
【請求項１５】
撮影レンズを覆う閉位置と前記撮影レンズが露出する開位置とを移動可能なレンズ保護部材と、前記レンズ保護部材に関する開方向の移動と閉方向の移動とに連動し電源オンと電源オフとを切替える電源切替手段とを有する撮像装置に装着されるハウジングであって、
前記レンズ保護部材が前記開位置にない場合には、前記ハウジングの装着完了を阻止する阻止部材、
を備え、
前記撮像装置では、前記ハウジングが装着された場合、前記レンズ保護部材と異なる別の部材に対する操作により前記電源オンと前記電源オフとが切替えられることを特徴とするハウジング。
【発明の詳細な説明】
【技術分野】
【０００１】
本発明は、所定のハウジングを装着可能な撮像装置の技術に関する。
【背景技術】
【０００２】
近年、被写体光をプリズム等で９０度折り曲げる屈曲ズーム光学系を備えたデジタルカメラが市販されている。この屈曲ズーム光学系は、カメラ本体内でズームレンズを移動するため、カメラ本体から鏡胴が突出することがない。
【０００３】
そして、例えば特許文献１で開示されるように、デジタルカメラをハウジング（水中ケース）に収納することによって水中撮影等が可能であるが、屈曲ズーム光学系を備えるカメラでは上述のように鏡胴が突出しないため、ハウジングを装着して水中撮影等を行うのに適している。
【０００４】
一方、屈曲ズーム光学系を持つカメラでは、不使用時における対物レンズの保護を目的としてレンズを覆うアウターレンズバリア（以下では単に「レンズバリア」ともいう）が設けられているものがある。
【０００５】
そして、ユーザの手動操作によるレンズバリアのスライド開閉に連動し、カメラ電源のオン・オフが行われるように構成されている。
【０００６】
【特許文献１】特開平１０−３３３２３３号公報
【発明の開示】
【発明が解決しようとする課題】
【０００７】
しかしながら、上記のカメラでは、水中等での撮影時にレンズバリアを閉状態（電源オフ）のままハウジングが装着されていた場合、ハウジングを開けてレンズバリアを開状態（電源オン）にする必要があるため、シャッターチャンスを逃がすという問題点がある。これについて、以下で具体的に説明する。
【０００８】
図３０およぶ図３１は、本発明の従来技術に係る撮像システム９０を説明するための図である。図３０および図３１は、正面図に相当しており、それぞれレンズバリアが開状態および閉状態のカメラを収納している様子を示している。
【０００９】
撮像システム９０は、カメラ９１とカメラ９１を収納するハウジング９２とで構成されている。そして、カメラ９１には、撮影レンズ９３を保護するためにスライド可能なレンズバリア９４が設けられている。
【００１０】
ここで、図３１に示すようにレンズバリア９４が閉状態でハウジング９２に収納される場合には、ユーザ操作によりレンズバリア９４を開状態に移動させることが困難となる。
【００１１】
よって、上述したように一旦ハウジング９２を開けてレンズバリア９４を開方向に移動し、ハウジング９２を再び装着する必要があり、シャッターチャンスを逃す場合がある。
【００１２】
本発明は、上記課題に鑑みてなされたものであり、レンズバリアによる電源オフの状態においてハウジングが装着されるのを防止できる撮像装置の技術を提供することを目的とする。
【課題を解決するための手段】
【００１３】
上記の課題を解決するため、請求項１の発明は、所定のハウジングを装着可能な撮像装置であって、(a)撮影レンズと、(b)前記撮影レンズを覆う閉位置と前記撮影レンズが露出する開位置とを移動可能なレンズ保護部材と、(c)前記レンズ保護部材に関する開方向の移動と閉方向の移動とに連動し、電源オンと電源オフとを切替える電源切替手段とを備え、前記所定のハウジングに設けられた所定の部材により、前記所定のハウジングの装着作業に伴って、前記レンズ保護部材を前記開方向に移動させる。
【００１４】
また、請求項２の発明は、請求項１の発明に係る撮像装置において、前記所定の部材により、前記レンズ保護部材が前記開位置まで移動される。
【００１５】
また、請求項３の発明は、請求項１の発明に係る撮像装置において、前記レンズ保護部材は、前記開位置より更に開方向にある第３位置まで移動可能であり、前記所定の部材により、前記レンズ保護部材が前記第３位置まで移動される。
【００１６】
また、請求項４の発明は、所定のハウジングを装着可能な撮像装置であって、(a)撮影レンズと、(b)前記撮影レンズを覆う閉位置と、前記撮影レンズが露出する開位置と、前記開位置より更に開方向にある第３位置とを移動可能なレンズ保護部材と、(c)前記レンズ保護部材に関する開方向の移動と閉方向の移動とに連動し、電源オンと電源オフとを切替える電源切替手段とを備え、前記レンズ保護部材が前記第３位置にない場合には、前記所定のハウジングに設けられた特定の部材により、前記所定のハウジングの装着完了を阻止する。
【００１７】
また、請求項５の発明は、請求項１ないし請求項４のいずれかの発明に係る撮像装置において、(d)前記所定のハウジングが装着された場合には、前記レンズ保護部材と異なる別の部材に対する操作により前記電源オンと前記電源オフとを切替える装着時切替手段、を備える。
【００１８】
また、請求項６の発明は、所定のハウジングを装着可能な撮像装置であって、(a)撮影レンズと、(b)前記撮影レンズを覆う閉位置と前記撮影レンズが露出する開位置とを移動可能なレンズ保護部材と、(c)前記レンズ保護部材に関する開方向の移動と閉方向の移動とに連動し、電源オンと電源オフとを切替える電源切替手段と、(d)前記所定のハウジングが装着された場合には、前記レンズ保護部材と異なる別の部材に対する操作により前記電源オンと前記電源オフとを切替える装着時切替手段とを備え、前記レンズ保護部材が前記開位置にない場合には、前記所定のハウジングに設けられた特定の部材により、前記所定のハウジングの装着完了を阻止する。
【００１９】
また、請求項７の発明は、請求項６の発明に係る撮像装置において、前記別の部材は、複数の部材からなっており、前記所定のハウジングは、前記所定のハウジングに設けられた所定の操作部材に対する操作に連動し、前記複数の部材を同時に操作する機構を有する。
【００２０】
また、請求項８の発明は、請求項１ないし請求項７のいずれかの発明に係る撮像装置において、(e)前記所定のハウジングに係る装着状態と非装着状態とを検出する検出手段と、(f)前記装着状態と前記非装着状態とで、特定の制御項目に関する制御方法を切替える手段と、をさらに備える。
【００２１】
また、請求項９の発明は、請求項８の発明に係る撮像装置において、前記特定の制御項目は、水中撮影に関連した制御項目であって、露出制御、ホワイトバランス制御、フラッシュ制御、オートフォーカス制御、録音特性制御および再生音特性制御からなる群から選択される少なくとも１の制御項目を含む。
【００２２】
また、請求項１０の発明は、撮像装置と、前記撮像装置に装着されるハウジングとを有する撮像システムであって、前記撮像装置は、(a-1)撮影レンズと、(a-2)前記撮影レンズを覆う閉位置と前記撮影レンズが露出する開位置とを移動可能なレンズ保護部材と、(a-3)前記レンズ保護部材に関する開方向の移動と閉方向の移動とに連動し、電源オンと電源オフとを切替える電源切替手段とを備え、前記ハウジングは、(b-1)前記ハウジングの装着作業に伴って、前記レンズ保護部材を前記開方向に移動させる駆動部材を備える。
【００２３】
また、請求項１１の発明は、撮像装置と、前記撮像装置に装着されるハウジングとを有する撮像システムであって、前記撮像装置は、(a-1)撮影レンズと、(a-2)前記撮影レンズを覆う閉位置と、前記撮影レンズが露出する開位置と、前記開位置より更に開方向にある第３位置とを移動可能なレンズ保護部材と、(a-3)前記レンズ保護部材に関する開方向の移動と閉方向の移動とに連動し、電源オンと電源オフとを切替える電源切替手段とを備え、前記ハウジングは、(b-1)前記レンズ保護部材が前記第３位置にない場合には、前記ハウジングの装着完了を阻止する阻止部材を備える。
【００２４】
また、請求項１２の発明は、撮像装置と、前記撮像装置に装着されるハウジングとを有する撮像システムであって、前記撮像装置は、(a-1)撮影レンズと、(a-2)前記撮影レンズを覆う閉位置と前記撮影レンズが露出する開位置とを移動可能なレンズ保護部材と、(a-3)前記レンズ保護部材に関する開方向の移動と閉方向の移動とに連動し、電源オンと電源オフとを切替える電源切替手段と、(a-4)前記ハウジングが装着された場合には、前記レンズ保護部材と異なる別の部材に対する操作により前記電源オンと前記電源オフとを切替える装着時切替手段とを備え、前記ハウジングは、(b-1)前記レンズ保護部材が前記開位置にない場合には、前記ハウジングの装着完了を阻止する阻止部材を備える。
【００２５】
また、請求項１３の発明は、撮影レンズを覆う閉位置と前記撮影レンズが露出する開位置とを移動可能なレンズ保護部材と、前記レンズ保護部材に関する開方向の移動と閉方向の移動とに連動し電源オンと電源オフとを切替える電源切替手段とを有する撮像装置に装着されるハウジングであって、前記ハウジングの装着作業に連動して、前記レンズ保護部材を開方向に移動させる駆動部材を備える。
【００２６】
また、請求項１４の発明は、撮影レンズを覆う閉位置と前記撮影レンズが露出する開位置とを移動可能なレンズ保護部材と、前記レンズ保護部材に関する開方向の移動と閉方向の移動とに連動し電源オンと電源オフとを切替える電源切替手段とを有する撮像装置に装着されるハウジングであって、前記レンズ保護部材が前記開位置より更に開方向にある第３位置にない場合には、前記ハウジングの装着完了を阻止する阻止部材を備える。
【００２７】
また、請求項１５の発明は、撮影レンズを覆う閉位置と前記撮影レンズが露出する開位置とを移動可能なレンズ保護部材と、前記レンズ保護部材に関する開方向の移動と閉方向の移動とに連動し電源オンと電源オフとを切替える電源切替手段とを有する撮像装置に装着されるハウジングであって、前記レンズ保護部材が前記開位置にない場合には、前記ハウジングの装着完了を阻止する阻止部材を備え、前記撮像装置では、前記ハウジングが装着された場合、前記レンズ保護部材と異なる別の部材に対する操作により前記電源オンと前記電源オフとが切替えられる。
【発明の効果】
【００２８】
請求項１ないし請求項３、請求項５、請求項８および請求項９の発明によれば、レンズ保護部材に関する開方向の移動と閉方向の移動とに連動し、電源オンと電源オフとを切替える撮像装置において、ハウジングに設けられた所定の部材により、ハウジングの装着作業に伴ってレンズ保護部材を開方向に移動させる。その結果、レンズ保護部材による電源オフの状態においてハウジングが装着されるのを防止できる。
【００２９】
特に、請求項２の発明においては、所定の部材によりレンズ保護部材が開位置まで移動されるため、電源オフの状態でハウジングが装着されるのを確実に防止できる。
【００３０】
また、請求項３の発明においては、所定の部材によりレンズ保護部材が開位置より更に開方向にある第３位置まで移動されるため、電源オフの状態でハウジングが装着されるのを確実に防止できる。
【００３１】
また、請求項４、請求項５、請求項８および請求項９の発明によれば、レンズ保護部材に関する開方向の移動と閉方向の移動とに連動し、電源オンと電源オフとを切替える撮像装置において、レンズ保護部材が開位置より更に開方向の第３位置にない場合には、ハウジングに設けられた特定の部材によりハウジングの装着完了を阻止する。その結果、レンズ保護部材による電源オフの状態においてハウジングが装着されるのを防止できる。
【００３２】
また、請求項５の発明においては、ハウジングが装着された場合には、レンズ保護部材と異なる別の部材に対する操作により電源オンと電源オフとを切替えるため、ハウジング装着中でも簡易に電源操作を行える。
【００３３】
また、請求項６ないし請求項９の発明によれば、ハウジングが装着された場合には、レンズ保護部材と異なる別の部材に対する操作により電源オンと電源オフとを切替える撮像装置において、レンズ保護部材が開位置にない場合には、ハウジングに設けられた特定の部材により所定のハウジングの装着完了を阻止する。その結果、レンズ保護部材による電源オフの状態においてハウジングが装着されるのを防止できる。さらに、ハウジング装着中でも簡易に電源操作を行える。
【００３４】
また、請求項７の発明においては、ハウジングが、ハウジングに設けられた所定の操作部材に対する操作に連動し、複数の部材を同時に操作する機構を有するため、ハウジング装着中の電源操作が容易になるとともに、ハウジング未装着時における電源の誤操作を防止できる。
【００３５】
また、請求項８の発明においては、ハウジングの装着状態と非装着状態とで特定の制御項目に関する制御方法を切替えるため、水中等での撮影時にも適切な制御を行える。
【００３６】
また、請求項９の発明においては、特定の制御項目が、水中撮影に関連した制御項目であって、露出補正、ホワイトバランス補正、フラッシュ補正、オートフォーカス制御、録音特性制御および再生音特性制御からなる群から選択される少なくとも１の制御項目を含むため、水中撮影時に最適な制御を行える。
【００３７】
また、請求項１０および請求項１３の発明によれば、レンズ保護部材に関する開方向の移動と閉方向の移動とに連動し、電源オンと電源オフとを切替える撮像装置において、ハウジングに設けられた駆動部材により、ハウジングの装着作業に伴ってレンズ保護部材を開方向に移動させる。その結果、レンズ保護部材による電源オフの状態においてハウジングが装着されるのを防止できる。
【００３８】
また、請求項１１および請求項１４の発明によれば、レンズ保護部材に関する開方向の移動と閉方向の移動に連動し、電源オンと電源オフとを切替える撮像装置において、レンズ保護部材が開位置より更に開方向にある第３位置にない場合には、ハウジングに設けられた阻止部材によりハウジングの装着完了を阻止する。その結果、レンズ保護部材による電源オフの状態においてハウジングが装着されるのを防止できる。
【００３９】
また、請求項１２および請求項１５の発明によれば、ハウジングが装着された場合には、レンズ保護部材と異なる別の部材に対する操作により電源オンと電源オフとを切替える撮像装置において、レンズ保護部材が開位置にない場合には、ハウジングに設けられた阻止部材によりハウジングの装着完了を阻止する。その結果、レンズ保護部材による電源オフの状態においてハウジングが装着されるのを防止できる。
【発明を実施するための最良の形態】
【００４０】
＜第１実施形態＞
＜撮像システムの構成＞
本発明の第１実施形態に係る撮像システム１Ａは、撮像装置として働くカメラ２Ａと、カメラ２Ａを収納するハウジング５Ａとで構成されている。まず、カメラ２Ａの構成について、以下で説明する。
【００４１】
図１〜図４は、カメラ２Ａの要部構成を示す図である。ここで、図１〜図４は、それぞれカメラ２Ａの外観図、正面図、背面図および上面図に相当している。なお、以下の説明においては、図に示すＸＹＺ３次元直交座標系を適宜用いて、方向および向きを示すこととする。
【００４２】
カメラ２Ａは、例えばデジタルカメラとして構成されており、撮影レンズ２０を前面に備えている。また、カメラ２Ａの前面には、フラッシュ２１と、ＡＦセンサ２２と対物側のファインダ窓２３ａと録音マイク２４とが設けられている。
【００４３】
ＡＦセンサ２１は、被写体までの距離を計測する測距センサとして構成されている。そして、カメラ２Ａにおける通常時のオートフォーカス(ＡＦ)制御では、このＡＦセンサ２５の計測値に基づくＡＦと、撮像素子３１(図８参照)で取得した画像に基づくビデオＡＦとを併用して、迅速なＡＦ制御が行われる。なお、後述するように、ハウジング５Ａの装着時には、ビデオＡＦのみが行われることとなる。
【００４４】
また、カメラ２Ａの前面には、スライドして撮影レンズ２０の前方を覆うレンズバリア２５が設けられている。このレンズバリア２５は、突起部の指掛かり部２５ａにユーザの指を引っかけて手動操作によりＸ方向への移動が可能となっている。
【００４５】
レンズバリア２５は、不使用時の撮影レンズ２０の保護を目的とするレンズ保護部材であり、撮影レンズ２０を覆う閉位置と撮影レンズ２０が露出する開位置との間で移動が可能である。
【００４６】
また、レンズバリア２５は、電源スイッチとしての機能も有している。具体的には、図２に示すように撮影レンズ２０が露出しているレンズバリア２５の開状態では、カメラ２Ａの電源がオンされる。一方、図５に示すように撮影レンズ２０が覆われているレンズバリア２５の閉状態では、カメラ２Ａの電源がオフされる。すなわち、レンズバリア２５に関する開方向の移動と閉方向の移動とに連動し、電源オンと電源オフとが切替えられることとなる。
【００４７】
カメラ２Ａの上面には、撮影指示の操作を受付けるシャッターボタン２６が設けられている。
【００４８】
また、カメラ２Ａの背面には、対物側のファインダ窓２３ａに対応する接眼側のファインダ窓２３ｂと、背面モニタ２７と、スピーカ２８と、背面操作ボタン部２９と、ハウジング検知部３０とが設けられている。
【００４９】
背面モニタ２７は、例えば液晶ディスプレイとして構成されており、被写体の撮影画像などを表示する。
【００５０】
背面操作ボタン部２９は、カメラ２Ａの背面に配設される複数の操作ボタンからなっており、例えば変倍（ズーム）を指示するためのズームボタン２９１、十字操作キー２９２や特定の機能が割付けられる操作ボタン２９３、２９４を有している。
【００５１】
ハウジング検知部３０は、ハウジング５Ａがカメラ２Ａに取り付けられたか否か、つまり装着状態と非装着状態とを検知する。この検知については、後述するハウジング５Ａのハウジング検知用リブ５９がハウジング検知部３０に当接するか否かで判断する。
【００５２】
カメラ２Ａは、屈曲ズーム光学系を有しているが、これについて以下で簡単に説明する。
【００５３】
図６および図７は、カメラ２Ａの屈曲ズーム光学系４を説明するための図である。ここで、図６および図７は、それぞれカメラ２ＡのＸＺ平面における断面図、およびＸＹ平面における断面図に相当している。
【００５４】
屈曲ズーム光学系４では、上述した撮影レンズ２０に対応する対物レンズ４０を通過してＺ軸方向に入射した被写体光が、プリズム（またはミラー）４１によりＸ軸方向に進路が変更される。そして、屈曲ズーム光学系４におけるズームレンズ部４２およびフォーカスレンズ部４３を通過して、例えばＣＣＤとして構成される撮像素子３１で結像される。
【００５５】
このように被写体光を直角に折り曲げる屈曲ズーム光学系４においては、ズームレンズ部４２における複数のレンズの位置関係を変更することにより、変倍（ズーム）が行われる。このような構成によって、ズームの際にカメラ２Ａの前面から鏡胴が突出しないこととなる。
【００５６】
図８は、カメラ２Ａの機能ブロックを示す図である。
【００５７】
カメラ２Ａは、上記のフラッシュ２１の発光を制御するためのフラッシュ回路３２と、フラッシュ回路３２に電気的に接続する制御部３９とを有している。
【００５８】
また、カメラ２Ａは、屈曲ズーム光学系４の各レンズを駆動するためのレンズ駆動部３３と、撮像素子３１の駆動タイミングを制御するタイミング制御回路３４とを備えている。
【００５９】
カメラ２Ａは、上述したシャッターボタン２６および背面操作ボタン部２９を含み、ユーザからの操作入力を受付ける操作部３５を有している。そして、この操作部３５には、後述するカメラ２Ａの動作で利用するＳＷ０〜ＳＷ４が設けられている。
【００６０】
カメラ２Ａは、メモリカード９とデータ授受を行うためのカードインターフェース(Ｉ／Ｆ)３６と、カメラ２Ａの外部と通信するための通信用インターフェース（Ｉ／Ｆ）３７とを備えている。
【００６１】
また、カメラ２Ａは、撮像素子３１で取得したアナログ画像信号をデジタル信号に変換し、ホワイトバランス補正などの画像処理を行う信号・画像処理部３８を有している。
【００６２】
制御部３９は、例えばＣＰＵおよびメモリを有しており、上記の各部を統括的に制御する。
【００６３】
次に、以上の構成を有するカメラ２Ａを収納するハウジング５Ａの構成について説明する。
【００６４】
図９および図１０は、ハウジング５Ａの要部構成を示す図である。ここで、図９および図１０は、それぞれハウジング５Ａの正面図および上面図に相当しており、カメラ２Ａを収納している状態を表している。
【００６５】
ハウジング５Ａは、所定の撮影環境、例えば水中で撮影するためにカメラ２Ａを収納する防水ケースとして構成され、回動軸５ｒを中心に前ハウジング５１および後ハウジング５２が回動し、前ハウジング５１と後ハウジング５２とで形成される内部の空間にカメラ２Ａを収納する。カメラ２Ａの収納時には、防水パッキン５４を押し潰すようにバックル部５３で係止される。このようにハウジング５Ａがカメラ２Ａに装着されることにより、水中での撮影が可能となる。
【００６６】
ハウジング５Ａには、その上面にカメラ２Ａのシャッターボタン２６をハウジング５Ａ上から操作するための外部シャッターボタン５５が設けられるとともに、背面にカメラ２Ａの背面操作ボタン部２９を操作するための外部背面操作ボタン部５６が設けられている。
【００６７】
また、ハウジング５Ａには、カメラ２Ａを安定して保持するためのカメラ保持ゴム５７ａおよびカメラ保持突起５７ｂが設けられ、カメラ２Ａの撮影レンズ２０の前方に撮影用窓５８ａが設けられている。この撮影用窓５８ａと撮影レンズ２０との間には、透明なハウジングによる反射光やフラッシュ光などの迷光を遮断するために筒状の迷光カット部材５８ｂが配設されている(図１１(ｂ)参照)。
【００６８】
ハウジング５Ａには、カメラ２Ａのハウジング検知部３０に当接して作用するためのハウジング検知用リブ５９が設けられている。これにより、カメラ２Ａがハウジング５Ａに収納される場合には、ハウジング検知部３０で確実に検出できることとなる。
【００６９】
さらに、ハウジング５Ａには、カメラ２Ａのレンズバリア２５を開方向にスライドさせるバリア駆動部６が設けられている。このバリア駆動部６について、以下で説明する。
【００７０】
図１１は、バリア駆動部６を説明するための図である。図１１(ａ)は、カメラ２Ａが収納されている状態を示す図１０に対応する図であり、カメラ２Ａが収納される前の状態を表している。また、図１１(ｂ)は、前ハウジング５１を斜め後方から見た外観図を示している。
【００７１】
バリア駆動部６は、カメラ２Ａの指掛かり部２５ａに先端６１ｓを引っかけてレンズバリア２５を開方向に移動させるためのバリア駆動レバー(駆動部材)６１Ａを備えている。
【００７２】
バリア駆動レバー６１Ａは、回動軸６ｃを中心に回動可能となっているが、ストッパ部６２により、図１１に示す角度で回動が制限される。また、バリア駆動レバー６１Ａは、ねじりコイルばねの付勢ばね６３により、回動方向ＲＴに付勢されている。
【００７３】
このような構成を有するバリア駆動部６により、カメラ２Ａのレンズバリア２が閉状態の場合でも、前ハウジング５１を閉じる際には、図１１に示すようにバリア駆動レバー６１Ａの先端６１ｓがレンズバリア２５に当接して開方向に移動させるため、図９に示すようにカメラ２Ａの収納時にはレンズバリア２５が開状態に移行する。このようにバリア駆動レバー６１により、ハウジング５Ａの装着作業に伴ってレンズバリア２５を開位置まで移動させるため、ハウジング５Ａに収納されるカメラ２Ａでは、レンズバリア２５が確実に開く状態、つまり電源オンの状態となって、シャッターチャンスを逃すことがなくなる。
【００７４】
以上で説明したカメラ２Ａとハウジング５Ａとを備える撮像システム１Ａの動作について、以下で説明する。
【００７５】
図１２は、撮像システム１Ａの基本的な動作を示すフローチャートである。本動作は、カメラ２Ａの制御部３９によって実行される。なお、以下では、フラグｈｗを利用して、ハウジングが収納状態か否かを判断する。
【００７６】
ステップＳ１では、カメラ２Ａがハウジング５Ａに収納されているか否かを判定するハウジング収納判定の動作を行う(後で詳述)。
【００７７】
ステップＳ２では、電源がオンであるかを判定する。ここで、電源がオンである場合には、ステップＳ３に進み、電源がオフである場合には、ステップＳ１２に進む。
【００７８】
ステップＳ３では、ステップＳ１で設定されたフラグｈｗが１となっているかを判定する。ここで、フラグｈｗ＝１である場合には、ステップＳ４に進み、フラグｈｗ＝０である場合には、ステップＳ９に進む。
【００７９】
ステップＳ４では、ハウジング収納モード処理を行う(後で詳述)。このステップＳ４と後述のステップＳ９との動作により、ハウジング５Ａの装着状態と非装着状態とで、水中撮影に関連した制御項目に関する制御方法が切替えられる。
【００８０】
ステップＳ５では、ユーザによって操作部３５における操作ボタンが操作されたかを判定する。ここで、操作ボタンが操作された場合には、ステップＳ６に進み、操作されていない場合には、ステップＳ１０に進む。
【００８１】
ステップＳ６では、操作部３５の操作ボタンのうちスイッチＳＷ２が押下されたかを判定する。このスイッチＳＷ２は、ハウジング５Ａの装着時に電源スイッチとして働くもので、例えばカメラ２Ａの十字操作キー２９２の中央ボタンを利用する。すなわち、カメラ２Ａにハウジング５Ａが装着された場合には、レンズバリア２５と異なる別の部材(スイッチＳＷ２)に対する操作により電源オンと電源オフとが切替えられることとなる。
【００８２】
このステップＳ６において、スイッチＳＷ２が押下された場合には、ステップＳ７に進み、押下されていない場合には、ステップＳ８に進む。
【００８３】
ステップＳ７では、スイッチＳＷ２の押下時間が所定時間Ｔｄ(例えば３秒)以上であるかを判定する。このようにスイッチＳＷ２の押下時間を計測するのは、ユーザが誤ってスイッチＳＷ２に触れても簡単に電源オフさせないためである。
【００８４】
ここで、スイッチＳＷ２の押下時間が所定時間Ｔｄ以上である場合には、ステップＳ１１に進み、所定時間Ｔｄ未満である場合には、ステップＳ８に進む。
【００８５】
ステップＳ８では、操作部３５の操作ボタンに応じた処理を行う。
【００８６】
ステップＳ９では、カメラ２Ａでの通常の処理を行うハウジング非収納モード処理を実施する。
【００８７】
ステップＳ１０では、操作部３５のスイッチＳＷ０がオンからオフに移行したかを判定する。このスイッチＳＷ０は、レンズバリア２５の開閉により、電源のオン・オフを行うスイッチである。ここで、スイッチＳＷ０がオフにされた場合には、ステップＳ１１に進み、オンのままの場合には、ステップＳ１に戻る。
【００８８】
ステップＳ１１では、カメラ２Ａの電源オフの処理を行う。
【００８９】
ステップＳ１２では、ステップＳ１で設定されたフラグｈｗが１となっているかを判定する。ここで、フラグｈｗ＝１である場合には、ステップＳ１３に進み、フラグｈｗ＝０である場合には、ステップＳ１４に進む。
【００９０】
ステップＳ１３では、操作部３５のスイッチＳＷ２がオンであるかを判定する。ここで、スイッチＳＷ２がオンである場合には、ステップＳ１５に進み、オフである場合には、ステップＳ１に戻る。
【００９１】
ステップＳ１４では、操作部３５のスイッチＳＷ０がオフからオンに切替わったかを判定する。ここで、スイッチＳＷ０がオンに切替えられた場合には、ステップＳ１５に進み、オフのままの場合には、ステップＳ１に戻る。
【００９２】
ステップＳ１５では、カメラ２Ａの電源オンの処理を行う。
【００９３】
図１３は、上記のステップＳ１に対応しており、ハウジング収納判定の動作を示すフローチャートである。
【００９４】
ステップＳ２１では、操作部３５のスイッチＳＷ１の状態が変化したかを判定する。このスイッチＳＷ１は、カメラ２Ａのハウジング検知部３０に対応するスイッチである。ここで、スイッチＳ１が変化した場合には、ステップＳ２２に進み、変化していない場合には、本フローチャートを抜け、ステップＳ２に進む。
【００９５】
ステップＳ２２では、スイッチＳＷ１がオンであるかを判定する。ここで、スイッチＳＷ１がオン、つまりハウジング検知部３０でハウジング５Ａの装着を検出している場合には、ステップＳ２３に進み、スイッチＳＷ１がオフである場合には、ステップＳ２５に進む。
【００９６】
ステップＳ２３では、フラグｈｗに１を代入する。
【００９７】
ステップＳ２４では、ハウジング収納モードの初期化を行う。
【００９８】
ステップＳ２５では、フラグｈｗに０を代入する。
【００９９】
ステップＳ２６では、ハウジング非収納モードの初期化を行う。
【０１００】
図１４は、上記のステップＳ４に対応しており、ハウジング収納モード処理の動作を示すフローチャートである。
【０１０１】
ステップＳ３１では、カメラ２Ａの露出モードがオート(自動)に設定されているかを判定する。ここで、露出モードがオートに設定されている場合には、ステップＳ３２に進み、オートに設定されていない場合には、ステップＳ３３に進む。
【０１０２】
ステップＳ３２では、水中撮影に適したハウジング仕様の補正プログラムを実行する。具体例を挙げると、ハウジング非収納モードにおける撮像素子３１の取得画像の平均測光値に基づく露出制御に対して、スポット測光、例えば画像中央部の測光値に基づく露出制御が実施される。これにより、水中において適切な露出制御を行える。
【０１０３】
ステップＳ３３では、カメラ２Ａのホワイトバランス(ＷＢ)調整がオートに設定されているかを判定する。ここで、ＷＢ調整がオートに設定されている場合には、ステップＳ３４に進み、オートに設定されていない場合には、ステップＳ３５に進む。
【０１０４】
ステップＳ３４では、水中撮影に適したハウジング仕様の補正プログラムを実行する。すなわち、水中撮影では通常の撮影に比べて色の傾向が異なるため、水中撮影での適正値が設定されたホワイトバランス制御を行う。
【０１０５】
ステップＳ３５では、カメラ２Ａのフラッシュ制御がオートに設定されているかを判定する。ここで、フラッシュ制御がオートに設定されている場合には、ステップＳ３６に進み、オートに設定されていない場合には、ステップＳ３７に進む。
【０１０６】
ステップＳ３６では、水中撮影に適したハウジング仕様のフラッシュ制御を実行する。すなわち、空気中に比べて水中では光の減衰が大きいため、これを考慮した発光量が設定されたフラッシュ制御を行う。
【０１０７】
ステップＳ３７では、カメラ２Ａのフォーカス制御がオートに設定されているかを判定する。ここで、フォーカス制御がオートに設定されている場合には、ステップＳ３８に進み、オートに設定されていない場合には、ステップＳ３９に進む。
【０１０８】
ステップＳ３８では、水中撮影に適したハウジング仕様のオートフォーカス(ＡＦ)制御を行う。具体例を挙げると、水中で精度が低下するＡＦセンサ２２を利用せずに、ビデオＡＦのみでＡＦ制御を行う。
【０１０９】
ステップＳ３９では、録音マイク２４がオンであるかを判定する。ここで、録音マイク２４がオンである場合には、ステップＳ４０に進み、オフである場合には、ステップＳ４１に進む。
【０１１０】
ステップＳ４０では、水中撮影に適したハウジング仕様の録音特性に設定する。すなわち、水中では音がこもるため、例えば周波数特性を変更して一定の帯域の音をカットするような録音特性変更制御を行う。
【０１１１】
ステップＳ４１では、スピーカ２８がオンであるかを判定する。ここで、スピーカ２８がオンである場合には、ステップＳ４２に進み、オフである場合には、本フローチャートを抜け、ステップＳ５に進む。
【０１１２】
ステップＳ４２では、水中撮影に適したハウジング仕様の再生音特性に設定する。すなわち、水中では音がこもるため、例えば周波数特性を変更して一定の帯域の音をカットするような再生音特性変更制御を行う。
【０１１３】
以上のステップＳ３１〜Ｓ４２の動作により、水中撮影に適したカメラ２Ａの制御を行えることとなる。なお、上述した露出制御、ホワイトバランス制御、フラッシュ制御、オートフォーカス制御、録音特性制御および再生音特性制御の６項目全ての制御方法を変更するのは必須でなく、このうちの少なくとも１の制御項目について制御方法を変更するようにしても良い。
【０１１４】
以上で説明した撮像システム１Ａの構成および動作により、ハウジング５Ａの収納時にはバリア駆動レバー６１Ａでカメラ２Ａのレンズバリア２５を開位置に移動できるため、比較的簡単な機構により、ハウジング５Ａを装着する際に確実にカメラ２Ａの電源をオンにでき、ハウジング装着時にシャッターチャンスを逃すことがなくなる。そして、バリア駆動レバー６１Ａによりハウジング５Ａの装着作業に連動してレンズバリアを開状態にできるため、ユーザが予めレンズバリアを開位置に移動させる作業を省略できる。
【０１１５】
また、撮像システム１Ａでは、ハウジング装着時でも、ハウジングからスイッチＳＷ２を操作して電源のオン・オフを行えるため、ハウジング装着中にはオートパワーオフによる電源オフのみが行える従来のカメラに比べて、電池の消耗を気にしながらオートパワーオフを待つ必要がなくなる。
【０１１６】
＜第２実施形態＞
本発明の第２実施形態に係る撮像システム１Ｂは、カメラ２Ｂと、カメラ２Ｂを収納するハウジング５Ｂとで構成されている。この構成について、以下で説明する。
【０１１７】
図１５および図１６は、撮像システム１Ｂの要部構成を示す図である。ここで、図１５および図１６は、それぞれ撮像システム１Ｂの正面図および上面図に相当しており、カメラ２Ｂをハウジング５Ｂで収納している状態を表している。
【０１１８】
カメラ２Ｂは、図１〜図４に示す第１実施形態のカメラ２Ａと類似の構成を有しているが、バリア阻止レバー４５が内部に付加されている点が主に異なっている。このレンズ阻止レバー４５について、以下で説明する。
【０１１９】
カメラ２Ｂでは、レンズバリア２５が第１実施形態で説明した閉位置および開位置に加えて、開位置より更に開方向にある第３位置にスライド可能となっている。これらのレンズバリア２５の閉位置、開位置および第３位置については、図１７(ａ)に示すようにレンズバリア２５に取付けられ方向ＤＳ(Ｘ軸方向)に移動する摺動接片２５ｓが配線パターン２５ｐの閉位置Ｐ１、開位置Ｐ２および第３位置Ｐ３のいずれかにあるかを判定することで位置検出する。具体的には、図１７(ｂ)に示すように、スイッチＳＷ０がオンでスイッチＳＷ１がオフの場合にはレンズバリア２５が開位置にあると判断し、スイッチＳＷ０がオンでスイッチＳＷ１がオンの場合にはレンズバリア２５が第３位置にあると判断する。
【０１２０】
そして、ハウジング５Ｂが装着されていない通常時には、レンズバリア２５を第３位置に移動させないようにするが、この移動を阻止するのが、バリア阻止レバー４５である。
【０１２１】
図１８は、バリア阻止レバー４５を説明するための図である。
【０１２２】
バリア阻止レバー４５は、Ｚ字状の形状を有しており、回動軸４５ｃを中心に回動自在となっている。そして、ハウジング５Ｂにカメラ２Ｂが収納されない通常時には、ばねの付勢力により方向ＲＳに回動して、端部４５ｂが開位置と第３位置との間のレンズバリア２５のスライド経路に介挿され、レンズバリア２５の第３位置への移動を阻止する。一方、カメラ２Ｂがハウジング５Ｂに収納される収納時には、バリア阻止レバー４５の端部４５ａにハウジング検知用ノブ５９が当接することで、図１８に示すような姿勢となり、端部４５ｂがレンズバリア２５から遠ざかってレンズバリア２５のスライド経路から退避するため、第３位置でのレンズバリア２５の移動が可能となる。
【０１２３】
一方、図１９に示すように、ハウジング５Ｂにカメラ２Ｂが収納される前の状態は、図１１に示す第１実施形態の場合と同様となっている。ただし、バリア駆動レバー６１Ｂについては、第１実施形態のバリア駆動レバー６１Ａとは取付け位置が若干異なっている。これは、レンズバリア２５を開位置より奥(開方向)の第３位置まで移動させるためである。
【０１２４】
このような構成を有するハウジング５Ｂのバリア駆動部６により、カメラ２Ｂのレンズバリア２が閉状態の場合でも、前ハウジング５１を閉じる際に、図１９に示すようにバリア駆動レバー６１Ｂの先端６１ｓがレンズバリア２５に当接して閉方向にスライドさせる。この場合、バリア阻止レバー４５によるレンズバリア２５の第３位置への移動制限が解除されているため、図１６に示すようにレンズバリア２５が開位置を経て第３位置に移動できる。これにより、ハウジング５Ｂに収納されるカメラ２Ｂでは、レンズバリア２５が確実に第３位置、つまり電源オンの状態となって、シャッターチャンスを逃すことがなくなる。
【０１２５】
なお、撮像システム１Ｂの動作については、図１２〜図１４のフローチャートを参照して説明した第１実施形態の撮像システム１Ａと同様の動作を行う。ただし、図１３のハウジング収納判定の動作におけるスイッチＳＷ１のオン・オフ判定は、レンズバリア２５が第３位置に移動されているか否かで判断する。
【０１２６】
以上で説明した撮像システム１Ｂの構成および動作により、ハウジング５Ｂの収納時にはバリア駆動レバー６１Ｂでカメラ２Ｂのレンズバリア２５を第３位置に移動させるため、ハウジング５Ｂを装着する際に確実にカメラ２Ｂの電源をオンにできる。
【０１２７】
＜第３実施形態＞
本発明の第３実施形態に係る撮像システム１Ｃは、カメラ２Ｃと、カメラ２Ｃを収納するハウジング５Ｃとで構成されている。この構成について、以下で説明する。
【０１２８】
図２０および図２１は、撮像システム１Ｃの要部構成を示す図である。ここで、図２０および図２１は、それぞれ撮像システム１Ｃの正面図および上面図に相当しており、カメラ２Ｃを収納している状態を表している。なお、図２１中の平行斜線部は、ハウジング５Ｃの断面を示している。
【０１２９】
カメラ２Ｃは、図１５〜図１６に示す第２実施形態のカメラ２Ｂと同様の構成を有しており、バリア阻止レバー４５を備えている。
【０１３０】
ハウジング５Ｃは、図１５〜図１６に示す第２実施形態のハウジング５Ｂと類似の構成を有しているが、バリア駆動部６の代わりに装着防止部７が設けられている点が異なっている。
【０１３１】
装着防止部７は、２つの装着防止リブ７１を備えている。この装着防止リブ７１は、細長状の形状を有しており、前ハウジング５１から突出している。
【０１３２】
そして、図２１の斜線部に示すように、カメラ２Ｃのレンズバリア２５が第３位置にある場合に、装着防止リブ７１の先端が、レンズバリア２５の前面に近接するようになっている。このようにレンズバリア２５が第３位置にある場合、レンズバリア２５の指掛かり部２５ａに装着防止リブ７１が接触しないため、前ハウジング５１を閉じることができる。
【０１３３】
一方、カメラ２Ｃのレンズバリア２５が第３位置でなく、例えば開位置となる場合には、図２２に示すように、装着防止リブ７１が指掛かり部２５ａに接触し、前ハウジング５１が完全に閉じきらないようになっている。すなわち、この装着防止リブ(阻止部材)７１により、レンズバリア２５が第３位置になく、閉位置や開位置にある場合には、ハウジング５Ｃの装着完了が阻止されることとなる。
【０１３４】
なお、カメラ２Ｃをハウジング５Ｃに収納するには、まずカメラ２Ｃを後ハウジング５２にセットしてハウジング検知用リブ５９をバリア阻止レバー４５に当接させ、次にレンズバリア２５を第３位置にスライドさせた後に前ハウジング５１を閉じる。
【０１３５】
撮像システム１Ｃの動作については、図１２〜図１４のフローチャートを参照して説明した第１実施形態の撮像システム１Ａと同様の動作を行う。ただし、図１３のハウジング収納判定の動作におけるスイッチＳＷ１のオン・オフ判定は、レンズバリア２５が第３位置に移動されているか否かで判断する。
【０１３６】
以上で説明した撮像システム１Ｃの構成および動作により、ハウジング５Ｃの収納時にはレンズバリア２５の指掛かり部２５ａが装着防止リブ７１に接触しないようにレンズバリア２５を第３位置に移動させなければならないため、ハウジング５Ｃを装着する際に確実にカメラ２Ｃの電源をオンにできる。
【０１３７】
＜第４実施形態＞
本発明の第４実施形態に係る撮像システム１Ｄは、カメラ２Ｄと、カメラ２Ｄを収納するハウジング５Ｄとで構成されている。この構成について、以下で説明する。
【０１３８】
図２３および図２４は、撮像システム１Ｄの要部構成を示す図である。ここで、図２３および図２４は、それぞれ撮像システム１Ｄの正面図および上面図に相当しており、カメラ２Ｄを収納している状態を表している。なお、図２４中の平行斜線部は、ハウジング５Ｄの断面を示している。
【０１３９】
カメラ２Ｄは、図１〜図４に示す第１実施形態のカメラ２Ａと同様の構成を有している。すなわち、レンズバリア２５は、閉位置と開位置との間をスライド可能となっている。
【０１４０】
ハウジング５Ｄは、図２０〜図２１に示す第３実施形態のハウジング５Ｃと類似の構成を有しているが、装着防止部７が異なっている。
【０１４１】
このハウジング５Ｄの装着防止部７は、２つの装着防止リブ７２を有しているが、第３実施形態の装着防止リブ７１より、長手方向(Ｘ軸方向)の長さが多少短くなっている。これは、第３実施形態の場合には、レンズバリア２５が第３位置まで移動するのに対して、本実施形態では、開位置までの移動に止まるためである。
【０１４２】
そして、装着防止リブ７２により、第３実施形態と同様に、レンズバリア２５が開位置にない場合には、図２５に示すように、ハウジング５Ｃの装着完了を阻止して完全に閉じきらないようになっている。
【０１４３】
また、ハウジング５Ｄは、第３実施形態のハウジング５Ｃと比べて外部電源ボタン７５が付加されている。この外部電源ボタン７５について、以下で説明する。
【０１４４】
図２６および図２７は、ハウジング５Ｄの外部電源ボタン７５を説明するための図である。ここで、図２６および図２７は、それぞれ撮像システム１Ｄの背面図および上面図に相当しており、カメラ２Ｄを収納している状態を表している。なお、図２７中の平行斜線部は、ハウジング５Ｄの断面を示している。
【０１４５】
カメラ２Ｄでは、電源のオン・オフがレンズバリア２５の開閉に連動して行われるため、特に電源ボタンを設ける必要はないが、本実施形態のハウジング５Ｄでは、ハウジング上からカメラ２Ｄの電源操作を可能とするために外部電源ボタン７５が設けられている。この外部電源ボタン７５の先端は、回動軸７６ｃを中心に回動自在な連動レバー７６の端部に当接しており、連動レバー７６は、例えばばねによって方向Ｄｐに付勢されている。また、連動レバー７６は、背面操作ボタン部２９のうち図８に示すスイッチＳＷ３〜ＳＷ４として働く操作ボタン２９３〜２９４に対応する部分に突起７６ｔが設けられており、それぞれの突起７６ｔの中央部には孔７６ｈが形成されている。この孔７６ｈにより、外部操作ボタン７８または外部操作ボタン７９を押下すると、カメラ２Ｄの操作ボタン２９３または操作ボタン２９４を独立して操作できることとなる。
【０１４６】
そして、外部電源ボタン７５がユーザにより押下されると、この操作に連動して連動レバー７６が回動軸７６ｃを中心に回動する機構により、図２８に示すようにカメラ２Ｄの操作ボタン２９３および操作ボタン２９４が押し込まれる。この操作ボタン２９３および操作ボタン２９４が同時に押下、つまりレンズバリア２５と異なる別の２つの部材が同時に操作されることで、カメラ２Ｄでは電源オン・オフの切替えを行うこととする。これにより、ハウジング収納後にカメラ５Ｄの電源のオン・オフを切替える場合には、１つの外部電源ボタン７５を押下すれば良いこととなる。一方、操作ボタン２９３および操作ボタン２９４の同時操作については、カメラ２Ｄ単体で通常行わない動作であるため、カメラ２Ｄでの通常撮影時に誤って電源オフされることはない。
【０１４７】
以上で説明した撮像システム１Ｄの動作について、以下で説明する。
【０１４８】
図２９は、撮像システム１Ｄの基本的な動作を示すフローチャートである。本動作は、カメラ２Ｄの制御部３９によって実行される。
【０１４９】
ステップＳ５１〜Ｓ５５では、図１２のフローチャートに示すステップＳ１〜Ｓ５と同様の動作を行う。
【０１５０】
ステップＳ５６では、操作部３５の操作ボタンのうちスイッチＳＷ３およびスイッチＳＷ４が同時に押下されたかを判定する。ここで、スイッチＳＷ３＆ＳＷ４が押下された場合には、ステップＳ５７に進み、押下されていない場合には、ステップＳ５８に進む。
【０１５１】
ステップＳ５７では、スイッチＳＷ３およびスイッチＳＷ４の押下時間が所定時間Ｔｄ以上であるかを判定する。ここでは、上述したように外部電源ボタン７５を押下するとスイッチＳＷ３〜４に対応する操作ボタン２９３〜２９４が同時に操作されるため、実際には外部電源ボタン７５の押下時間が判断されることとなる。ここで、スイッチＳＷ３およびスイッチＳＷ４の押下時間が所定時間Ｔｄ以上である場合には、ステップＳ６１に進み、所定時間Ｔｄ未満である場合には、ステップＳ５８に進む。
【０１５２】
ステップＳ５８〜Ｓ６２では、図１２のフローチャートに示すステップＳ８〜Ｓ１２と同様の動作を行う。
【０１５３】
ステップＳ６３では、スイッチＳＷ３およびスイッチＳＷ４がオンであるかを判定する。ここでは、上述したように外部電源ボタン７５を押下するとスイッチＳＷ３〜４に対応する操作ボタン２９３〜２９４が同時に操作されるため、実際には外部電源ボタン７５の押下状態が判断されることとなる。ここで、スイッチＳＷ３およびスイッチＳＷ４がオンである場合には、ステップＳ６５に進み、オフである場合には、ステップＳ５１に戻る。
【０１５４】
ステップＳ６４〜Ｓ６５では、図１２のフローチャートに示すステップＳ１４〜Ｓ１５と同様の動作を行う。
【０１５５】
以上で説明した撮像システム１Ｄの構成および動作により、ハウジング５Ｄの収納時にはレンズバリア２５の指掛かり部２５ａが装着防止リブ７２に接触しないようにレンズバリア２５を開位置に移動させなければならないため、ハウジング５Ｄを装着する際に確実にカメラ２Ｄの電源をオンにできる。さらに、ハウジング５Ｄに設けられる外部電源ボタン７５を押下することでカメラ２Ｄの電源オン・オフを切替えられるため、ハウジング収納中でもカメラ２Ｄの電源操作が可能となる。
【図面の簡単な説明】
【０１５６】
【図１】本発明の第１実施形態に係るカメラ２Ａの要部構成を示す図である。
【図２】カメラ２Ａの要部構成を示す図である。
【図３】カメラ２Ａの要部構成を示す図である。
【図４】カメラ２Ａの要部構成を示す図である。
【図５】レンズバリア２５の閉状態を説明するための図である。
【図６】カメラ２Ａの屈曲ズーム光学系４を説明するための図である。
【図７】カメラ２Ａの屈曲ズーム光学系４を説明するための図である。
【図８】カメラ２Ａの機能ブロックを示す図である。
【図９】ハウジング５Ａの要部構成を示す図である。
【図１０】ハウジング５Ａの要部構成を示す図である。
【図１１】バリア駆動部６を説明するための図である。
【図１２】撮像システム１Ａの基本的な動作を示すフローチャートである。
【図１３】ハウジング収納判定の動作を示すフローチャートである。
【図１４】ハウジング収納モード処理の動作を示すフローチャートである。
【図１５】本発明の第２実施形態に係る撮像システム１Ｂの要部構成を示す図である。
【図１６】撮像システム１Ｂの要部構成を示す図である。
【図１７】レンズバリア２５の位置検出を説明するための図である。
【図１８】バリア阻止レバー４５を説明するための図である。
【図１９】ハウジング５Ｂのバリア駆動部６を説明するための図である。
【図２０】本発明の第３実施形態に係る撮像システム１Ｃの要部構成を示す図である。
【図２１】撮像システム１Ｃの要部構成を示す図である。
【図２２】装着防止リブ７１の働きを説明するための図である。
【図２３】本発明の第４実施形態に係る撮像システム１Ｄの要部構成を示す図である。
【図２４】撮像システム１Ｄの要部構成を示す図である。
【図２５】装着防止リブ７２の働きを説明するための図である。
【図２６】ハウジング５Ｄの外部電源ボタン７５を説明するための図である。
【図２７】ハウジング５Ｄの外部電源ボタン７５を説明するための図である。
【図２８】外部電源ボタン７５が押下された場合の様子を示す図である。
【図２９】撮像システム１Ｄの基本的な動作を示すフローチャートである。
【図３０】本発明の従来技術に係る撮像システム９０を説明するための図である。
【図３１】本発明の従来技術に係る撮像システム９０を説明するための図である。
【符号の説明】
【０１５７】
１Ａ〜１Ｄ  撮像システム
２Ａ〜２Ｄ  カメラ
４  屈曲ズーム光学系
５Ａ〜５Ｄ  ハウジング
６  バリア駆動部
７  装着防止部
２０  撮影レンズ
２１  フラッシュ
２２  ＡＦセンサ
２４  録音マイク
２５  レンズバリア
２５ａ  指掛かり部
２８  スピーカ
２９  背面操作ボタン部
３０  ハウジング検知部
３１  撮像素子
３５  操作部
３９  制御部
４５  バリア阻止レバー
５９  ハウジング検知用リブ
６１Ａ〜６１Ｂ  バリア駆動レバー
７１〜７２  装着防止リブ
７５  外部電源ボタン
７６  連動レバー
ＳＷ０〜ＳＷ４  スイッチ
【図１】
2006010771.tif 000003
【図２】
2006010771.tif 000004
【図３】
2006010771.tif 000005
【図４】
2006010771.tif 000006
【図５】
2006010771.tif 000007
【図６】
2006010771.tif 000008
【図７】
2006010771.tif 000009
【図８】
2006010771.tif 000010
【図９】
2006010771.tif 000011
【図１０】
2006010771.tif 000012
【図１１】
2006010771.tif 000013
【図１２】
2006010771.tif 000014
【図１３】
2006010771.tif 000015
【図１４】
2006010771.tif 000016
【図１５】
2006010771.tif 000017
【図１６】
2006010771.tif 000018
【図１７】
2006010771.tif 000019
【図１８】
2006010771.tif 000020
【図１９】
2006010771.tif 000021
【図２０】
2006010771.tif 000022
【図２１】
2006010771.tif 000023
【図２２】
2006010771.tif 000024
【図２３】
2006010771.tif 000025
【図２４】
2006010771.tif 000026
【図２５】
2006010771.tif 000027
【図２６】
2006010771.tif 000028
【図２７】
2006010771.tif 000029
【図２８】
2006010771.tif 000030
【図２９】
2006010771.tif 000031
【図３０】
2006010771.tif 000032
【図３１】
2006010771.tif 000033